(57)【特許請求の範囲】
【請求項１】
双方向CATVシステムに使用される幹線増幅器、分岐増幅器、延長増幅器、分配器、分岐器、保安器、宅内分岐器、宅内増幅器といったCATV機器であって、
下り伝送路（１６）と、上り伝送路（１）と、上り信号を分岐して伝送する分岐伝送路（２１）を備え、
前記上り伝送路（１）が、上り伝送路（１）を遮断・遮断解除可能なゲートスイッチ（２）と、上り伝送路（１）を伝搬する上り信号及び雑音の一部を取り出す分岐器（４）を備え、
前記分岐伝送路（２１）が、帯域阻止フィルタ（５）と検波器（７）と比較器（８）とステータスモニタ（３）を備え、
前記帯域阻止フィルタ（５）は前記分岐器（４）によって取り出された上り信号及び雑音のうち上り信号の通過を阻止して雑音を通過させ、前記検波器（７）は帯域阻止フィルタ（５）を通過した雑音のレベルに応じた電圧を検出してその電圧を比較器（８）に送り、
前記比較器（８）は検波器（７）の前記出力電圧を基準電圧と比較して、その差が所定範囲を超えると前記ゲートスイッチ（２）を作動させて上り伝送路（１）を遮断し、ステータスモニタ（３）を作動させて雑音レベルの情報をセンターに送信できるようにしたことを特徴とするCATV機器。
【請求項２】
ステータスモニタ（３）は、センターからの指令に基づいて帯域阻止フィルタ（５）の通過阻止帯域を変更可能であることを特徴とする請求項１記載のCATV機器。
【発明の詳細な説明】
【０００１】
【発明の属する技術分野】
本発明は、双方向CATVシステムの伝送網に接続される幹線増幅器、分岐増幅器、延長増幅器、分配器、分岐器、宅内分岐器、宅内増幅器等といった各種CATV機器に関するものである。
【０００２】
【従来の技術】
双方向CATVシステムでは従来から上り伝送路を介してセンターに流入する流合雑音が大きな問題となっている。そこで現在は、センターにおける流合雑音レベルが所定値を超えると、当該CATV伝送網に接続されている多数の増幅器の上り出力をセンターに最も遠い増幅器からセンターに近い増幅器の順で遮断し、その都度センターにおける流合雑音レベルを測定し、流合雑音レベルが低下した増幅器を雑音の発生箇所又は流入箇所と特定し、同増幅器に対して雑音の発生又は流入を阻止するための措置を講じている。この場合、増幅器の遮断は次の様な方法で行われる。
（１）CATV伝送網に接続されている夫々の増幅器に作業員が出向き、各増幅器の上り増幅部の電源を順次ＯＦＦにする。
（２）CATV伝送網に接続されている夫々の増幅器に上り伝送路を遮断・遮断解除可能なゲートスイッチを設けておき、増幅器に出向いた作業員がゲートスイッチを操作して、各増幅器の上り出力を順次遮断する。
（３）前記（２）の増幅器にゲートスイッチを制御するステータスモニタを設けておき、各増幅器に作業員が出向くことなく、センターから夫々の増幅器のステータスモニタに信号を送信することによってゲートスイッチを操作して、各増幅器の上り出力を順次遮断する。
【０００３】
【発明が解決しようとする課題】
雑音発生箇所又は流入箇所を前記のようにして特定することには次のような問題があった。
（１）前記（１）又は（２）の方法では、作業員が当該伝送網に接続されている夫々の増幅器に直接出向かなくてはならず、さらには、夫々の増幅器を一台ずつチェックしなくてはならないため、確認効率が悪く、雑音発生箇所又は流入箇所の特定に多くの手間と時間と費用を要する。例えば、当該伝送路にｎ個の増幅器が接続されており、実際の雑音発生箇所又は流入箇所である増幅器がセンターの直近の増幅器であった場合、当該増幅器を特定するためには全て（ｎ個）の増幅器をチェックしなくてはならない。
（２）前記（３）の方法では、作業員が夫々の増幅器に出向く必要はないが、各増幅器を一台ずつチェックしなくてはならないことは同様であり、やはり雑音発生箇所又は流入箇所の特定に手間と時間と費用を要する。
【０００４】
【課題を解決するための手段】
本発明の目的は、CATV伝送網における雑音発生箇所又は流入箇所を簡易且つ迅速に特定可能であり、さらに、その特定と同時に自動的に上り伝送路を遮断して、雑音がセンターに流入することを阻止可能でもあるCATV機器を提供することにある。
【０００５】
本件出願の第１のCATV機器は、双方向CATVシステムに使用される幹線増幅器、分岐増幅器、延長増幅器、分配器、分岐器、保安器、宅内分岐器、宅内増幅器といったCATV機器であって、下り伝送路と、上り伝送路と、上り信号を分岐して伝送する分岐伝送路を備え、前記上り伝送路が、上り伝送路を遮断・遮断解除可能なゲートスイッチと、上り伝送路を伝搬する上り信号及び雑音の一部を取り出す分岐器を備え、前記分岐伝送路が、帯域阻止フィルタと検波器と比較器とステータスモニタを備え、前記帯域阻止フィルタは前記分岐器によって取り出された上り信号及び雑音のうち上り信号の通過を阻止して雑音を通過させ、前記検波器は帯域阻止フィルタを通過した雑音のレベルに応じた電圧を検出してその電圧を比較器に送り、前記比較器は検波器の前記出力電圧を基準電圧と比較して、その差が所定範囲を超えると前記ゲートスイッチを作動させて上り伝送路を遮断し、ステータスモニタを作動させて雑音レベルの情報をセンターに送信できるようにしたものである。
【０００６】
本件出願の第２のCATV機器は、ステータスモニタがセンターからの指令に基づいて帯域阻止フィルタの通過阻止帯域を変更可能なものである。
【０００７】
【０００８】
【発明の実施の形態】
（実施形態１）
本発明のCATV機器の実施形態の一例を図１に基づいて詳細に説明する。本実施形態に示すCATV機器は双方向CATVシステムの中継伝送網を構成する分岐線に接続された延長増幅器である。
【０００９】
この延長増幅器は図１に示すように従来の延長増幅器と同様、下り入力端子（上り出力端子）１０及び上り入力端子（下り出力端子）１２を備え、下り入力端子１０に入力された下り信号は、分波フィルタ１４によって下り伝送路１６に振り分けられ、同伝送路１６上の増幅素子１８によって所定レベルに増幅されて下り出力端子１２から出力される。また、上り入力端子１２から入力された上り信号は、分波フィルタ２０によって上り伝送路１に振り分けられ、同伝送路１上の増幅素子２２によって所定レベルに増幅されて上り出力端子１０から出力される。即ち、従来の延長増幅器と同一の構成を備え、同一の機能を奏する。
【００１０】
さらに、本発明の延長増幅器は前記構成に加え、図１に示すように、上り伝送路１にそれを遮断・遮断解除可能なゲートスイッチ２と、ステータスモニタ３と、上り伝送１を伝搬する上り信号及び雑音の一部を分岐して取り出す分岐器４を設けてある。また、分岐伝送路２１を備え、それには分岐器４によって分岐された上り信号及び雑音のうち、上り信号の通過を阻止し、雑音のみを通過させる帯域阻止フィルタ５と、帯域阻止フィルタ５を通過した雑音を増幅する増幅素子６と、増幅素子６によって増幅された雑音のレベルに応じた電圧を出力する検波器７と、検波器７の出力電圧を基準電圧と比較する比較器８とステータスモニタ３を備え、比較器８は出力電圧が基準電圧を上回る場合に前記ゲートスイッチ２に所定電圧を出力すると共に、常時ステータスモニタ３に所定電圧を出力するようにしてある。前記ゲートスイッチ２は比較器８から電圧が入力されると作動して上り伝送路１を遮断する。また、比較器８から電圧が入力されたステータスモニタ３は上り伝送路１上の雑音レベルに関する情報を図示されていないセンターへ送信する。尚、比較器８が常時ステータスモニタ３に所定電圧を出力するとは、必ずしも絶え間なく電圧を出力するといった意味ではなく、比較結果に拘らず所定のタイミングで電圧を出力することを意味する。
【００１１】
以上によって、本発明の延長増幅器によれば、当該延長増幅器で発生した、又はこれに流入した雑音のレベルが所定レベルを越えると、自動的に上り伝送路が遮断されて同雑音がセンターへ流入することが防止され、さらに、雑音が所定レベルを越えた旨の情報がセンターに送信され、雑音発生箇所又は流入箇所を即座に特定することが可能となる。
【００１２】
尚、図１に示すステータスモニタ３は比較器８からの出力の有無に拘らずゲートスイッチ２を開閉可能であり、センターからステータスモニタ３に信号を送信することによって、いつでもゲートスイッチ２を開閉できるようにしてある。従って、比較器８の出力に基づいて開又は閉して、上り伝送路１を遮断したゲートスイッチ２を雑音の発生又は流入原因を解消した後に、ステータスモニタ３によって閉又は開して前記遮断を解除することができる。
【００１３】
図１に示す帯域阻止フィルタ５の通過阻止周波数帯域は上り信号の周波数に合わせてあることは当然であるが、この通過阻止周波数帯域は任意に変更可能である。具体的にはセンターからステータスモニタ３に信号を送信すると、これを受信したステータスモニタ３によって帯域阻止フィルタ５の通過阻止周波数帯域が変更されるようにしてある。また、前記比較器８の基準電圧は任意に変更可能としてあり、ゲートスイッチ２によって上り伝送路１が遮断される雑音レベルを任意に設定することが可能である。さらに、比較器８は、検波器７の出力電圧が基準電圧を上回り、且つその差が所定範囲内（例えば○○dBμ〜○○dBμ）にあるときにのみゲートスイッチ２に電圧を出力し、検波器７の出力電圧が基準電圧を上回わるが、その差が前記所定範囲を越えるときには電圧を出力しないように設定することもできる。このようにすれば、ノイズレベルは高いが、突発的に発生し、すぐに消滅するバーストノイズによってはゲートスイッチ２が作動しなくなる。
【００１４】
（実施形態２）
前記実施形態１では本発明のCATV機器が延長増幅器である場合を説明したが、本発明のCATV機器には、前記ゲートスイッチ、分岐器、帯域阻止フィルタ、増幅素子、検波器、比較器、ステータスモニタを備えている幹線増幅器、分岐増幅器、分配器、分岐器、保安器、宅内分岐器、宅内増幅器等の各種CATV機器が含まれる。尚、なるべくCATV伝送網の末端に近いCATV機器（例えば分岐器）を本発明のCATV機器とすれば、雑音の発生箇所又は流入箇所をかなり絞り込むことが可能となる。
【００１５】
本発明のCATV機器では、上り伝送路を遮断した後も継続して雑音レベルを監視し、レベルが所定レベル以下に下がると自動的にゲートスイッチを操作して上り伝送路の遮断を解除するようにすることもできる。
【００１６】
【発明の効果】
本件出願のCATV機器は次のような効果を有する。
（１）CATV機器で発生した、又はこれに流入した雑音のレベルが所定レベルを上回ると、自動的に上り伝送路が遮断されるので、センターへの雑音の流入を自動的に阻止することができる。
（２）前記上り伝送路の遮断と同時に、雑音が所定レベルを越えた旨の情報がセンターに送信されるので、当該伝送網における雑音発生箇所又は流入箇所をセンターにおいて即座に特定することができる。従って、一台一台の機器の上り出力を順次遮断して雑音発生箇所又は流入箇所を特定していた従来の方式に比べて、手間、時間、費用の全てが大幅に低減される。
【図面の簡単な説明】
【図１】  本発明のCATV機器の実施形態の一例を示すブロック図。
【符号の説明】
１  上り伝送路
２  ゲートスイッチ
３  ステータスモニタ
４  分岐器
５  帯域阻止フィルタ
６  増幅素子
７  検波器
８  比較器
【図１】
0004573976.tif 000002